(57)【要約】【課題】電装部品へのアクセス性を向上させることでメンテナンスを容易に行うことが可能な空気調和装置を提供する。【解決手段】天井に設置される空気調和装置１００であって、電装品箱７０は、空気流れ方向においてケーシング４の上流側端部に配置される筐体４１であって、筐体４１内部に電装部品７１を収納しており、開閉可能な蓋４３を有している。ヒンジ４４は、電装品箱７０をケーシング４に対して回動させる。ケーシング４の外縁の一部と電装品箱７０の外縁の一部とによって吸込口４Ｓを形成する。そして、電装品箱７０の蓋４３が下面側に向いている運転状態と、上流側に向いて吸込口４Ｓを運転状態より狭めているメンテナンス状態と、をヒンジ４４による回動によって切換できる。【選択図】図４
2008275232.tif 000002
【特許請求の範囲】
【請求項１】
天井に設置される空気調和装置（１００）であって、
吹出口（４Ｅ）を有するケーシング（４）と、
前記ケーシング（４）に収容され前記吹出口に向かう空気流れを形成するファン（１１）と、
前記空気流れ方向において前記ケーシングの上流側端部に配置される筐体（４１）であって、前記筐体（４１）内部に電装部品（７１）を収納しており、開閉可能な蓋（４３）を有している電装品箱（７０）と、
前記電装品箱（７０）を前記ケーシング（４）に対して回動させるための回動機構（４４）と、
を備え、
前記ケーシング（４）の外縁の一部と前記電装品箱（７０）の外縁の一部とによって吸込口（４Ｓ）を形成しつつ前記電装品箱（７０）の蓋（４３）が下面側に向いている第１状態と、前記電装品箱（７０）の蓋（４３）が前記空気流れ方向において上流側に向いて前記吸込口（４Ｓ）を少なくとも前記第１状態より狭めている第２状態と、を前記回動機構（４４）による回動によって切換可能である、
空気調和装置（１００）。
【請求項２】
前記回動機構（４４）は、前記電装品箱（７０）の前記第１状態において前記吹出口（４Ｅ）側に位置する面と、前記ケーシング（４）の一端辺と、によって形成される軸を有している、
請求項１に記載の空気調和装置（１００）。
【請求項３】
前記回動機構（４４）は、前記電装品箱（７０）の角と、前記ケーシング（４）の一端辺と、によって形成される軸を有している、
請求項１に記載の空気調和装置（１００）。
【請求項４】
前記回動機構（４４）は、前記電装品箱（７０）の前記空気流れ方向における下流側上端に位置している、
請求項３に記載の空気調和装置（１００）。
【請求項５】
前記空気流れ方向の上流側下端部に、前記電装品箱（７０）の上流側下端部が位置している、
請求項１から３のいずれか１項に記載の空気調和装置（１００）。
【請求項６】
前記ケーシング（４）内部であって前記空気流れにおける前記電装品箱（７０）の下流側に配置され、前記第１状態における高さ位置が前記電装品箱の上端よりも高いドレンパン（１５）をさらに備えた、
請求項１から５のいずれか１項に記載の空気調和装置（１００）。
【請求項７】
前記電装品箱（７０）と、前記ドレンパン（１５）との間に間隙を有している、
請求項６に記載の空気調和装置（１００）。
【請求項８】
前記ケーシング（４）内部であって、前記ドレンパンの上方に配置される熱交換器（１０）をさらに備え、
前記電装品箱（７０）は、前記熱交換器（１０）の前記空気流れ方向における上流側に配置されている、
請求項６または７に記載の空気調和装置（１００）。
【請求項９】
前記電装品箱（７０）の電装部品（７１）は、前記蓋（４３）の面と略並行に配置されている基板（７１）である、
請求項１から８のいずれか１項に記載の空気調和装置（１００）。
【請求項１０】
天井に設置される空気調和装置（１００）であって、
吹出口（４Ｅ）を有するケーシング（４）と、
前記ケーシング（４）に収容され前記吹出口（４Ｅ）に向かう空気流れを形成するファン（１１）と、
前記空気流れ方向において前記ケーシングの上流側端部に配置される筐体（４１）であって、前記筐体（４１）内部に電装部品（７１）を収納しており、開閉可能な蓋（４３）を有している電装品箱（７０）と、
前記電装品箱（７０）を前記ケーシング（４）に対して回動させるための回動機構（４４）と、
を備え、
前記ケーシング（４）の外縁の一部と前記電装品箱（７０）の外縁の一部とによって吸込口（４Ｓ）を形成しつつ前記電装品箱（７０）の蓋（４３）が下面側に向いている第３状態と、前記電装品箱（７０）の蓋（４３）が前記空気流れ方向において下流側に向いている第４状態と、を前記回動機構（４４）による回動によって切換可能である、
空気調和装置（１００）。
【請求項１１】
天井に設置される空気調和装置（１００）であって、
吹出口（４Ｅ）を有するケーシング（４）と、
前記ケーシング（４）に収容され前記吹出口（４Ｅ）に向かう空気流れを形成するファン（１１）と、
前記空気流れ方向において前記ケーシングの上流側端部に配置される筐体（４１）であって、前記筐体（４１）内部に電装部品（７１）を収納しており、開閉可能な蓋（４３）を有している電装品箱（７０）と、
前記電装品箱（７０）を前記ケーシング（４）に対して回動させるための回動機構（４４）と、
を備え、
前記ケーシング（４）の外縁の一部と前記電装品箱（７０）の外縁の一部とによって吸込口（４Ｓ）を形成しつつ前記電装品箱（７０）の蓋（４３）が上面側に向いている第５状態と、前記電装品箱（７０）の蓋（４３）が前記空気流れ方向において上流側に向いて前記吸込口（４Ｓ）を少なくとも前記第５状態より狭めている第６状態と、を前記回動機構（４４）による回動によって切換可能である、
空気調和装置（１００）。
【発明の詳細な説明】
【技術分野】
【０００１】
本発明は、天井に設置される空気調和装置に関する。
【背景技術】
【０００２】
従来より、狭い天井スペースであっても施工が可能な空気調和装置の室内機が提案されている。
【０００３】
例えば、以下に示す特許文献１に記載の空気調和装置の室内機では、電装品箱の取付位置が、複数箇所に対して選択的に取付可能な構成を採用している。これにより、室内機の設置形態に応じた位置電装品箱が設けられた形状として、様々な場所に設置することが可能になっている。
【特許文献１】特開２００２−１６２０６４号公報
【発明の開示】
【発明が解決しようとする課題】
【０００４】
しかし、上記特許文献１に記載の空気調和装置では、設置時において、電装品箱の取付位置を選択することで室内機の設置作業を容易化させることができるものの、設置後に、電装部品のメンテナンスが必要となった場合の作業性が考慮されていない。このため、室内機の設置形態によっては、電装品箱へのアクセス方向が限られたものになってしまうおそれがある。
【０００５】
本発明は、上述した点に鑑みてなされたものであり、本発明の課題は、電装部品へのアクセス性を向上させることでメンテナンスを容易に行うことが可能な空気調和装置を提供することにある。
【課題を解決するための手段】
【０００６】
第１発明に係る空気調和装置は、天井に設置される空気調和装置であって、ケーシングと、ファンと、電装品箱と、回動機構とを備えている。ケーシングは、吹出口を有している。ファンは、ケーシングに収容され吹出口に向かう空気流れを形成する。電装品箱は、空気流れ方向においてケーシングの上流側端部に配置される筐体であって、筐体内部に電装部品を収納しており、開閉可能な蓋を有している。回動機構は、電装品箱をケーシングに対して回動させる。ケーシングの外縁の一部と電装品箱の外縁の一部とによって吸込口を形成する。そして、電装品箱の蓋が下面側に向いている第１状態と、電装品箱の蓋が空気流れ方向において上流側に向いて吸込口を少なくとも第１状態より狭めている第２状態と、を回動機構による回動によって切換可能である。なお、第２状態では、吸込口を完全に塞いでしまってもよい。
【０００７】
ここでは、ケーシング内に空気流れを形成させるために、吸込口用のスペースは予め設けられている。そして、電装品箱は、第１状態から第２状態に推移する場合に、吸込口を少なくとも狭めるように切り換えられる。このように、第１状態から第２状態に推移する場合には、吸込口を狭めるように電装品箱が回動することになるが、第２状態となるための吸込口用のスペースは、予め設けられている。このため、設置に際して、第２状態を取ることが可能か否かについて、設置スペース上の制約が無い。
【０００８】
これにより、吸込口用のスペースとして予め設けられた空間に電装品箱を回動させて蓋を開けることができるため、設置スペースに制約がある場合であっても、第１状態での下面からのアクセスと、第２状態での上流側からのアクセスが可能であり、メンテナンス性を向上させることができる。
【０００９】
第２発明に係る空気調和装置は、第１発明の空気調和装置であって、回動機構は、電装品箱の第１状態において吹出口側に位置する面と、ケーシングの一端辺と、によって形成される軸を有している。
【００１０】
ここでは、電装品箱の吹出口側の一面に対して、ケーシングの一端辺とによって軸が形成されている。このため、電装品箱は、側面視において、吹出口側の面上のある点を支点として回動することになる。電装品箱の対角線を半径として回動する場合よりも小さく回動させることができる。
【００１１】
これにより、回動させるために要する高さ方向のスペースを小さく抑えることが可能になる。
【００１２】
第３発明に係る空気調和装置は、第１発明または第２発明の空気調和装置であって、回動機構は、電装品箱の角と、ケーシングの一端辺と、によって形成される軸を有している。
【００１３】
ここでは、電装品箱の側面視において下流側上端の角を支点として、電装品箱が回動することになる。そして、上面視において、第２状態における電装品箱の位置と、第１状態における電装品箱の位置とは、下流側端部が略一致しており、いずれかの状態がいずれかの状態に対して平面視において覆われる関係になる。例えば、第１状態において空気流れ方向に長い形状の電装品箱の場合には、第２状態の電装品箱の上面視における位置は、第１状態における電装品箱の位置によって覆われる。また、例えば、第１状態において鉛直方向に長い形状の電装品箱の場合には、第１状態の電装品箱の上面視における位置は、第２状態における電装品箱の位置によって覆われる。
【００１４】
これにより、第１状態と第２状態とにおいて空気流れ方向における必要幅を抑えることが可能になる。
【００１５】
第４発明に係る空気調和装置は、第３発明の空気調和装置であって、回動機構は、電装品箱の空気流れ方向における下流側上端に位置している。
【００１６】
ここでは、第１状態から第２状態に移行する場合に、電装品箱が空気調和装置の内側に曲がる。
【００１７】
これにより、第２状態では、制御対象の部品と電装品箱とがより近づくことになるため、配線にかかる負担を低減させることが可能になる。
【００１８】
第５発明に係る空気調和装置は、第１発明から第３発明のいずれかの空気調和装置であって、空気流れ方向の上流側下端部に、電装品箱の上流側下端部が位置している。
【００１９】
ここでは、空気調和装置の上流側下端部に、電装品箱の上流側下端部が位置しており、他に何もない。このため、第１状態から第２状態に電装品箱が回動した場合に、空気調和装置の上流側下端部には、メンテナンス作業を邪魔するものが何もない状態になる。
【００２０】
これにより、メンテナンスの作業性を向上させることが可能になる。
【００２１】
第６発明に係る空気調和装置は、第１発明から第５発明のいずれかの空気調和装置であって、ケーシング内部であって空気流れにおける電装品箱の下流側に配置され、第１状態における高さ位置が電装品箱の上端よりも高いドレンパンをさらに備えている。
【００２２】
ここでは、空気調和装置には、ドレンパンが設けられており、電装品箱は、このドレンパンの上流側に配置されている。そして、電装品箱の第１状態での高さはドレンパンの高さよりも高いため、電装品箱の設置により空気流れが阻害されることにはならない。
【００２３】
これにより、ドレンパンと電装品箱とを設置したとしても、空気流れの妨げとならない。
【００２４】
第７発明に係る空気調和装置は、第６発明の空気調和装置であって、電装品箱と、ドレンパンとの間に間隙を有している。
【００２５】
ここでは、ドレンパンにドレン水が溜まり、仮に、ドレンパンを溢れることがあったとしても、ドレン水は、電装品箱との間に設けられた間隙を介して空気調和装置の外部に落下する。
【００２６】
これにより、電装品箱に設けられている電装品を水から守ることができる。
【００２７】
第８発明に係る空気調和装置は、第６発明または第７発明の空気調和装置であって、ケーシング内部であって、ドレンパンの上方に配置される熱交換器をさらに備えている。そして、電装品箱は、空気流れ方向における熱交換器の上流側に配置されている。
【００２８】
ここでは、電装品箱は、熱交換器の上流側に配置されているため、熱交換器において生じた凝縮水の飛散を受けることがない。
【００２９】
これにより、熱交換器において凝縮水が生じた場合であっても、電装品箱に設けられている電装品を水から守ることができる。
【００３０】
第９発明に係る空気調和装置は、第１発明から第８発明のいずれかの空気調和装置であって、電装品箱の電装部品は、蓋の面と略並行に配置されている基板である。
【００３１】
ここでは、蓋の面と基板とが略並行に配置されているため、第１状態であっても第２状態であってもいずれの状態であっても、蓋を開けた場合に、容易に基板のメンテナンスを行うことができる。
【００３２】
第１０発明に係る空気調和装置では、天井に設置される空気調和装置であって、ケーシングと、ファンと、電装品箱と、回動機構とを備えている。ケーシングは、吹出口を有している。ファンは、ケーシングに収容され吹出口に向かう空気流れを形成する。電装品箱は、空気流れ方向においてケーシングの上流側端部に配置される筐体であって、筐体内部に電装部品を収納しており、開閉可能な蓋を有している。回動機構は、電装品箱をケーシングに対して回動させる。そして、ケーシングの外縁の一部と電装品箱の外縁の一部とによって吸込口を形成しつつ電装品箱の蓋が下面側に向いている第３状態と、電装品箱の蓋が空気流れ方向において下流側に向いている第４状態と、を回動機構による回動によって切換可能である。
【００３３】
ここでは、空気調和装置は天井に設置されていることから、第３状態から第４状態に推移する場合に、電装品箱が回動して第４状態となるためのスペースは、予め設けられている。このため、設置に際して、第４状態を取ることが可能か否かについて、設置スペース上の制約が無い。
【００３４】
これにより、吸込口用のスペースとして予め設けられた空間に電装品箱を回動させて蓋を開けることができるため、設置スペースに制約がある場合であっても、第３状態での下面からのアクセスと、第４状態での下流側からのアクセスが可能であり、メンテナンス性を向上させることができる。
【００３５】
第１１発明に係る空気調和装置では、天井に設置される空気調和装置であって、ケーシングと、ファンと、電装品箱と、回動機構とを備えている。ケーシングは、吹出口を有している。ファンは、ケーシングに収容され吹出口に向かう空気流れを形成する。電装品箱は、空気流れ方向においてケーシングの上流側端部に配置される筐体であって、筐体内部に電装部品を収納しており、開閉可能な蓋を有している。回動機構は、電装品箱をケーシングに対して回動させる。そして、ケーシングの外縁の一部と電装品箱の外縁の一部とによって吸込口を形成しつつ電装品箱の蓋が上面側に向いている第５状態と、電装品箱の蓋が空気流れ方向において上流側に向いて吸込口を少なくとも第５状態より狭めている第６状態と、を回動機構による回動によって切換可能である。
【００３６】
ここでは、ケーシング内に空気流れを形成させるために、吸込口用のスペースは予め設けられている。そして、電装品箱は、第５状態から第６状態に推移する場合に、吸込口を少なくとも狭めるように切り換えられる。このように、第５状態から第６状態に推移する場合には、吸込口を狭めるように電装品箱が回動することになるが、第６状態となるための吸込口用のスペースは、予め設けられている。このため、設置に際して、第６状態を取ることが可能か否かについて、設置スペース上の制約が無い。
【００３７】
これにより、吸込口用のスペースとして予め設けられた空間に電装品箱を回動させて蓋を開けることができるため、設置スペースに制約がある場合であっても、第６状態での上流側からのアクセスが可能であり、メンテナンス性を向上させることができる。
【発明の効果】
【００３８】
第１発明の空気調和装置では、吸込口用のスペースとして予め設けられた空間に電装品箱を回動させて蓋を開けることができるため、設置スペースに制約がある場合であっても、第１状態での下面からのアクセスと、第２状態での上流側からのアクセスが可能であり、メンテナンス性を向上させることができる。
【００３９】
第２発明の空気調和装置では、回動させるために要する高さ方向のスペースを小さく抑えることが可能になる。
【００４０】
第３発明の空気調和装置では、第１状態と第２状態とにおいて空気流れ方向における必要幅を抑えることが可能になる。
【００４１】
第４発明の空気調和装置では、第２状態では、制御対象の部品と電装品箱とがより近づくことになるため、配線にかかる負担を低減させることが可能になる。
【００４２】
第５発明の空気調和装置では、メンテナンスの作業性を向上させることが可能になる。
【００４３】
第６発明の空気調和装置では、ドレンパンと電装品箱とを設置したとしても、空気流れの妨げとならない。
【００４４】
第７発明の空気調和装置では、電装品箱に設けられている電装品を水から守ることができる。
【００４５】
第８発明の空気調和装置では、熱交換器において凝縮水が生じた場合であっても、電装品箱に設けられている電装品を水から守ることができる。
【００４６】
第９発明の空気調和装置では、第１状態であっても第２状態であってもいずれの状態であっても、蓋を開けた場合に、容易に基板のメンテナンスを行うことができる。
【００４７】
第１０発明の空気調和装置では、吸込口用のスペースとして予め設けられた空間に電装品箱を回動させて蓋を開けることができるため、設置スペースに制約がある場合であっても、第３状態での下面からのアクセスと、第４状態での下流側からのアクセスが可能であり、メンテナンス性を向上させることができる。
【００４８】
第１１発明の空気調和装置では、吸込口用のスペースとして予め設けられた空間に電装品箱を回動させて蓋を開けることができるため、設置スペースに制約がある場合であっても、第６状態での上流側からのアクセスが可能であり、メンテナンス性を向上させることができる。
【発明を実施するための最良の形態】
【００４９】
以下、図面に基づいて、本発明に係る空気調和装置の実施形態について説明する。
【００５０】
＜空気調和装置の概略構成＞
本発明の一実施形態が採用された空気調和装置１００は、図１および図２に示すように、室内の天井面に沿うように設置される室内機１と、室外に設置される室外機２とを備えている。
【００５１】
室内機１内および室外機２内にはそれぞれ熱交換器１０、２０が収納されており、各熱交換器が冷媒配管５により接続されることにより冷媒回路を構成している。
【００５２】
＜空気調和装置１００の冷媒回路の構成概略＞
図１に示すように、空気調和装置１００の冷媒回路は、主として室内熱交換器１０、アキュムレータ２１、圧縮機２２、四路切換弁２３、室外熱交換器２０および膨張弁２４で構成される。
【００５３】
（室内機１）
室内機１に設けられている室内熱交換器１０は、接触する空気との間で熱交換を行う。ここでは、室内熱交換器１０は、フィンアンドチューブ型である。なお、室内機１内の冷媒回路には、後述する電磁弁１３が設けられており、冷媒の流量を調節することができる。
【００５４】
また、室内機１には、室内空気を吸い込んで室内熱交換器１０に通し熱交換が行われた後の空気を室内に排出するためのクロスフローファン１１が設けられている。クロスフローファン１１は、室内機１内に設けられる１つの室内ファンモータ１２によって回転駆動される。
【００５５】
（室外機２）
室外機２には、図１に示すように、圧縮機２２と、圧縮機２２の吐出側に接続される四路切換弁２３と、圧縮機２２の吸入側に接続されるアキュムレータ２１と、四路切換弁２３に接続されたフィンアンドチューブ型の室外熱交換器２０と、室外熱交換器２０に接続された膨張弁２４とが設けられている。
【００５６】
膨張弁２４は、液閉鎖弁２６を介して配管に接続されており、この配管を介して室内熱交換器１０の一端と接続される。
【００５７】
また、四路切換弁２３は、ガス閉鎖弁２７を介して配管に接続されており、この配管を介して室内熱交換器１０の他端と接続されている。
【００５８】
また、室外機２には、室外熱交換器２０での熱交換後の空気を外部に排出するためのプロペラファン２８が設けられている。このプロペラファン２８は、室外ファンモータ２９によって回転駆動される。
【００５９】
（室内機１の詳細構成）
室内機１は、図２に示すように、壁Ｗ近傍の天井に設置され、クロスフローファン１１が回転駆動すると、室内空間ＲＳからの室内空気ＲＡが吸込口４Ｓを介して室内熱交換器１０を通過するように取り込まれる。ここで、室内機１の吸込口４Ｓの空気流れ方向における上流側は、水平方向に開口しており、室内空気ＲＡを略水平方向に取り込む。そして、熱交換された調和空気ＳＡは、吹出口４Ｅを介して再び室内空間ＲＳに戻される。これにより、対象となる室内空間ＲＳが空調される。
【００６０】
なお、以下、上流側とは、クロスフローファン１１によって形成される図面上左から右に向かう空気流れにおいて、左側を指すものとし、下流側とは、右側を指すものとする。
【００６１】
ここで、図３の室内機１の側面視断面図に示すように、室内熱交換器１０やクロスフローファン１１、電磁弁１３、ドレンパン１５、電装品箱７０等は、ケーシング４内に配置されている。
【００６２】
このケーシング４の上流側には、ケーシング４の上流側上端部と、電装品箱７０の上面側と、によって囲まれた吸込口４Ｓが形成されている。また、ケーシング４の下流側には、クロスフローファン１１の出口と共通している吹出口４Ｅが形成されている。
【００６３】
クロスフローファン１１は、ファン１１ａと、上部ファンケーシング１１ｂと、下部ファンケーシング１１ｃとを有している。ファン１１ａは、貫流ファンである。上部ファンケーシング１１ｂと下部ファンケーシング１１ｃとは一体となって送風流路を形成している。なお、このクロスフローファン１１が駆動すると、ケーシング４内部に吸込口４Ｓから吹出口４Ｅに向かう略水平方向の空気流れが形成される。
【００６４】
電磁弁１３は、ケーシング４の上流側上端近傍に配置されており、室内熱交換器１０に対する冷媒供給量を調節する。
【００６５】
室内熱交換器１０は、クロスフローファン１１と電磁弁１３との間に配置されており、互いに連なった第１熱交換器１０ａと、第２熱交換器１０ｂと、第３熱交換器１０ｃとを有している。第１熱交換器１０ａは、電磁弁１３の下流側のケーシング４の上面から吊り下げられている。ここで、第１熱交換器１０ａは、電磁弁１３の下流側から電磁弁１３の下方にかけて位置しており、下方が上流側に向くように傾斜している。第２熱交換器１０ｂは、第１熱交換器１０ａの下端部から伸びており、下方が下流側に向くように傾斜している。ここで、第１熱交換器１０ａと第２熱交換器１０ｂとは、平面視において互いに重なるように折り返されて配置されているため、空気流れ方向の幅を小型化することが可能になっている。第３熱交換器１０ｃは、第２熱交換器の下端部からクロスフローファン１１の下方近傍まで伸びており、下方が下流側に向くように傾斜しており、第２熱交換器１０ｂの傾斜よりもゆるやかな傾斜となっている。このように、第１熱交換器１０ａ、第２熱交換器１０ｂおよび第３熱交換器１０ｃは、クロスフローファン１１を取り囲むように互いに折り曲げられているため、折り曲げられていない熱交換器が配置される構成と比較して、クロスフローファン１１によって形成される空気流れがより多くの熱交換器を通過できるため、熱交換効率が向上している。
【００６６】
ドレンパン１５は、上述した熱交換器１０および電磁弁１３から滴り落ちてくる凝縮水の全てを下方で受け止めることができるように、熱交換器１０および電磁弁１３の下方に全域において広がっている。すなわち、平面視において、ドレンパン１５の外縁は、第１熱交換器１０ａ、第２熱交換器１０ｂ、第３熱交換器１０ｃおよび電磁弁１３の外縁の外側に見えるように配置されている。これにより、ドレンパン１５は、第１熱交換器１０ａ、第２熱交換器１０ｂ、第３熱交換器１０ｃおよび電磁弁１３において生じた凝縮水をほとんど全て捕らえることができる。なお、ドレンパン１５は、クロスフローファン１１の近傍まで伸びて配置されている。このドレンパン１５は、上流側が下がるように勾配を有しており、下端部近傍にドレンホース１５ｈを有している。ドレンパン１５が捕らえた水は、このドレンホース１５ｈを介して屋外に排出される。このドレンパン１５は、クロスフローファン１１とケーシング４の吸込口４Ｓとの間から外れた場所に位置しているため、熱交換器１０を通過する空気流れを妨げることがなく、送風抵抗となることが抑えられている。
【００６７】
電装品箱７０は、ケーシング４の上流側下端部であって、熱交換器１０およびドレンパン１５の上流側に配置されており、ドレンパン１５との間にわずかに間隙が設けられている。また、図３に示すように、電装品箱７０の高さは、ドレンパン１５の高さより低くなるように設けられている。また、ケーシング４と電装品箱７０とは、図３における奥行き方向に伸びるヒンジ４４を介して回動可能に固定されている。電装品箱７０は、図４に示すように、ケーシング４に対して、このヒンジ４４を支点として吸込口４Ｓを閉じる方向に回動することができる。このように電装品箱７０は、蓋４３が下方を向いた運転状態から蓋４３が上流側を向いたメンテナンス状態に回動される場合に、制御対象に対してより近い状態となるため、プリント配線基板７１に対して接続されている配線に負担がかかりにくい。そして、図５に示すように、電装品箱７０は、最終的には、ヒンジ４４を支点として、上方に９０°回動して止まる。電装品箱７０は、筐体４１および蓋４３を有しており、内部にプリント配線基板７１を収納している。このプリント配線基板７１は、図６に示すようにして蓋４３を開けることで、外部からアクセスして（矢印で示す）メンテナンスを行うことができるようになっている。ここで、プリント配線基板７１の面と、蓋４３の面とは、略並行になるように配置されている。また、プリント配線基板７１の実装面が蓋４３側となるように配置されている。
【００６８】
図７および図８に、室内機１の下面斜視図を示す。
【００６９】
ここで、図７は、電装品箱７０が回動していない状態として、室内機１が運転もしくは運転待機している運転状態の様子を示している。
【００７０】
また、図８は、電装品箱７０が回動しており、室内機１がメンテナンス状態にある様子を示している。
【００７１】
図７および図８に示すように、蓋４３には、筐体４１との間で嵌合する爪４３Ｎが２つ設けられており、この爪４３Ｎによって、蓋４３の取付、取外しが行われる。なお、図７および図８において、室内機１の上流側の右端部近傍には、ガス冷媒配管５１、液冷媒配管５２および通信線６が設けられており、図示しない室外機２に接続される。
【００７２】
（電装品箱７０のメンテナンス）
上述したように、電装品箱７０は、ケーシング４に対してヒンジ４４を支点として回動でき、図３および図７に示す運転状態から、図８において蓋４３を開けた状態および図６に示すメンテナンス状態へと推移させることができる。
【００７３】
図８において蓋４３を開けた状態および図６に示すメンテナンス状態では、作業者は、スペースが十分に確保されたケーシング４の吸込口４Ｓ側から、プリント配線基板７１に容易にアクセスすることができる。
【００７４】
＜空気調和装置１００の特徴＞
（１）
上記実施形態の空気調和装置１００では、ケーシング４内にクロスフローファン１１による空気流れを形成させるために、吸込口４Ｓ周囲のスペースが予め設けられている。
【００７５】
そして、運転状態からメンテナンス状態に推移する場合に、電装品箱７０は、吸込口４Ｓを狭めるように電装品箱７０が回動することになるが、メンテナンス状態において電装品箱７０が位置する場所には、吸込口４Ｓにおける空気流れを形成するために予めスペースが設けられている。このため、空気調和装置１００の室内機１を天井に設置するに際して、メンテナンス状態を取ることができるか否か問題にする必要が無いため、設置スペース上の制約が無い。
【００７６】
このため、吸込口４Ｓ用のスペースとして予め設けられた空間に電装品箱７０を回動させて蓋４３を開けることができる。したがって、設置スペースに制約がある場合であっても、作業者は、電装品箱７０のプリント配線基板７１に対して、運転状態での下面からのアクセスと、メンテナンス状態での上流側からのアクセスが可能であり、メンテナンス性を向上させることができる。
【００７７】
また、メンテナンス状態では、室内機１の上流側にいる作業者は、電装品箱７０のプリント配線基板７１に対して、上流側からアクセスができるとともに、ガス冷媒配管５１、液冷媒配管５２、通信線６に対しても上流側からアクセスできるため、一箇所に居ながらにして、様々なメンテナンスを行うことが可能になる。
【００７８】
（２）
上記実施形態の空気調和装置１００では、図３および図６に示すように、運転状態とメンテナンス状態とでは、電装品箱７０の位置が平面視において略重なっている。このため、室内機１は、運転状態からメンテナンス状態に移行させる場合であっても、空気流れ方向において、別途必要となる幅が少ない。これにより、室内機１の空気流れ方向における幅を狭小化させて、装置をコンパクトにすることができている。
【００７９】
（３）
上記実施形態の空気調和装置１００では、室内機１の上流側下端部に、電装品箱７０の上流側下端部が位置しており、室内機の上流側下端部には他に何もない。このため、運転状態からメンテナンス状態に電装品箱７０が回動した場合に、室内機１の上流側下端部には、メンテナンス作業を邪魔するものが何もない状態になり、メンテナンスの作業性を向上させることができる。
【００８０】
（４）
上記実施形態の空気調和装置１００では、ドレンパン１５の上流側においてドレンパン１５の高さよりも低い電装品箱７０が配置されている。このため、運転状態において、電装品箱７０は、空気流れの妨げとならない。
【００８１】
（５）
上記実施形態の空気調和装置１００では、
電装品箱７０とドレンパン１５との間に間隙が設けられているため、ドレンパン１５溜まった凝縮水が溢れ出してきても、プリント配線基板７１にまで水が達することがない。
【００８２】
また、電装品箱７０が熱交換器１０の上流側に配置されていることからプリント配線基板７１に対して凝縮水がかかりにくい配置になっている。
【００８３】
＜変形例＞
以上、本発明の実施形態について図面に基づいて説明したが、具体的な構成は、これらの実施形態に限られるものではなく、以下のように、発明の要旨を逸脱しない範囲で変更可能である。
【００８４】
（Ａ）
上記実施形態では、空気調和装置１００の室内機１において、電装品箱７０が運転状態からメンテナンス状態に移行する際に、吸込口４Ｓが狭くなる場合を例を挙げて説明した。
【００８５】
しかし、本発明はこれに限定されるものではなく、電装品箱７０が運転状態からメンテナンス状態に移行する際に、吸込口４Ｓが電装品箱７０によって完全に閉じられるようにしてもよい。
【００８６】
（Ｂ）
上記実施形態では、空気調和装置１００の室内機１の吸込口４Ｓの上流側が略水平方向に開口しており、室内空気ＲＡを略水平方向に取り込む場合について、例を挙げて説明した。
【００８７】
しかし、本発明はこれに限定されるものではなく、図９に示すように、室内機１の吸込口４Ｓの上流側は、鉛直下向きに開口していてもよい。
【００８８】
この場合には、室内機１は、図９に示すように、図壁Ｗ近傍の天井に設置され、クロスフローファン１１が回転駆動すると、室内空間ＲＳからの室内空気ＲＡが吸込口４Ｓを通過すべく、鉛直上方に上昇して下流側に曲げられ、室内熱交換器１０を通過するように取り込まれる。そして、熱交換された調和空気ＳＡは、吹出口４Ｅを介して再び室内空間ＲＳに戻される。これにより、対象となる室内空間ＲＳが空調される。
【００８９】
（Ｃ）
上記実施形態の空気調和装置１００では、室内機１の電装品箱７０の下流側上端にヒンジ４４が設けられ、吸込口４Ｓを閉じるように回動することで運転状態とメンテナンス状態とを切り換える場合を例に挙げて説明した。
【００９０】
しかし、本発明はこれに限られるものではなく、例えば、図１０に示すように、電装品箱７０の下流側下端にヒンジ４４が設けられ、電装品箱７０が下方に回動することで運転状態とメンテナンス状態とを切り換えるようにしてもよい。
【００９１】
さらには、図１１に示すように、電装品箱７０をケーシング４の上流側上端に位置させて、電装品箱７０の下流側下端をヒンジ４４として電装品箱７０が下方に回動することで運手状態とメンテナンス状態とを切り換えるようにしてもよい。これらの場合であっても、メンテナンスを行う方向を変更でき、上記実施形態と同様の効果が得られる。
【００９２】
（Ｄ）
上記実施形態では、空気調和装置１００の室内機１において、電装品箱７０の下流側上端にヒンジ４４が設けられ、ヒンジ４４を支点として電装品箱７０が回動する場合を例を挙げて説明した。
【００９３】
しかし、本発明はこれに限定されるものではなく、例えば、図１２に示すように、電装品箱７０の下流側の面上における所定高さにおいて奥行方向に伸びるヒンジ４４が設けられていてもよい。例えば、このヒンジ４４は、運転状態における電装品箱７０の下流側の面と、ケーシング４の上流側一端の辺と、によって形成される軸によって構成される。この場合には、側面視において、ヒンジ４４を支点として電装品箱７０が回動し、メンテナンス状態では、図１３に示すように、電装品箱７０が位置することになる。この場合でも、上記実施形態とほぼ同様の効果を奏することができる。さらに、このように、ヒンジ４４の位置を電装品箱７０の角ではなく面上に設けることで、電装品箱７０の対角線を半径として回動する場合と比較して回転半径を短くすることができる。このため、室内機１の高さ方向の厚みを小型化させることも可能になる。
【産業上の利用可能性】
【００９４】
本発明を利用すれば、電装部品へのアクセス性を向上させることでメンテナンスを容易に行うことができるため、特に、電装部品を備えた空気調和装置に適用することができる。
【図面の簡単な説明】
【００９５】
【図１】本発明の一実施形態にかかる空気調和装置の冷媒回路図である。
【図２】空気調和装置の室内機の設置状態を示す図である。
【図３】室内機の運転状態における側面視断面図である。
【図４】電装品箱の回動の様子を示す側面視断面図である。
【図５】電装品箱が回動を終えた状態を示す側面視断面図である。
【図６】室内機のメンテナンス状態を示す側面視断面図である。
【図７】室内機の運転状態を示す下面斜視図である。
【図８】室内機のメンテナンス状態を示す下面斜視図である。
【図９】変形例（Ｂ）に係る空気調和装置の室内機の設置状態を示す図である。
【図１０】変形例（Ｃ）に係る室内機の側面視断面図である。
【図１１】変形例（Ｃ）に係る室内機の側面視断面図である。
【図１２】変形例（Ｄ）に係る室内機の運転状態を示す側面視断面図である。
【図１３】変形例（Ｄ）に係る室内機のメンテナンス状態を示す側面視断面図である。
【符号の説明】
【００９６】
１  室内機
２  室外機
４  ケーシング
４Ｓ  吸込口
４Ｅ  吹出口
５  冷媒配管
１０  室内熱交換器（熱交換器）
１１  クロスフローファン（ファン）
１５  ドレンパン
２０  室外熱交換器
４３  蓋
４４  ヒンジ（回動機構）
７０  電装品箱
７１  プリント配線基板（電装部品）
１００  空気調和装置
【図１】
2008275232.tif 000003
【図２】
2008275232.tif 000004
【図３】
2008275232.tif 000005
【図４】
2008275232.tif 000006
【図５】
2008275232.tif 000007
【図６】
2008275232.tif 000008
【図７】
2008275232.tif 000009
【図８】
2008275232.tif 000010
【図９】
2008275232.tif 000011
【図１０】
2008275232.tif 000012
【図１１】
2008275232.tif 000013
【図１２】
2008275232.tif 000014
【図１３】
2008275232.tif 000015